(57)【特許請求の範囲】
【請求項１】
窓枠体に設けた窓の開閉機構は、前記窓枠体のレールに挾持される二本の脚を備えたケースと、手元スイッチとで構成し、
前記ケースは、前記窓枠体に支持されるケース本体ユニットと、このケース本体ユニットに嵌合されるケース蓋ユニットとで構成し、
このケース本体ユニットには、駆動部と、前記窓に添設するローラとを設け、
前記ケース蓋ユニットには、前記駆動部用のコントローラを設け、た窓の開閉装置において、
前記ケース本体ユニットには、前記二本の脚を有し、この二本の脚の一方を、このケース本体ユニットに設けた調整螺子で、このケース本体ユニットの開放側から、その底面側に向かって移動可能に設ける構成とした窓の開閉装置。
【請求項２】
請求項１に記載の窓の開閉装置であって、
前記二本の脚の一方は、前記ケース本体ユニットに設けた蟻溝嵌合で移動する移動駒に垂設する構成とした窓の開閉装置。
【請求項３】
請求項１に記載の窓の開閉装置であって、
前記ケース蓋ユニットは、前記ケース本体ユニットの開放側に嵌合されることで、このケース蓋ユニットは、このケース本体ユニットの蓋として役立つ構成とした窓の開閉装置。
【請求項４】
請求項１に記載の窓の開閉装置であって、
前記ケース、及び／又は、この窓の開閉装置の構造の簡略化と、コストの低廉化を可能とするために、このケースを、ケース本体ユニットと、ケース蓋ユニットとにより構成した窓の開閉装置。
【請求項５】
請求項１に記載の窓の開閉装置であって、
前記窓の開閉装置の、前記窓枠体への取付けの簡略化、及び／又は、小型化を可能とするために、このケースを、ケース本体ユニットと、ケース蓋ユニットとにより構成した窓の開閉装置。
【請求項６】
請求項１に記載の窓の開閉装置であって、
前記ケースの構造の簡略化と、コストの低廉化を可能とするために、このケースを、ケース本体ユニットと、ケース蓋ユニットとにより構成した窓の開閉装置。
【発明の詳細な説明】
【技術分野】
【０００１】
本発明は、窓の自動開閉を達成し、かつ窓に、何人も簡易に取付け、取外し可能であって、低価格で製造できるとともに、簡易形で、しかも体裁が良く、かつ小型化が達成される窓の開閉装置に関する。
【背景技術】
【０００２】
周知の如く、窓の開閉装置に関しては、構造、形状を始めとして、その他、取付け方の容難（容易と難易）とか、又は価格の高低等を意図し（各条件とする）、種々の装置、機種が提案されている。しかし、前記各条件の中で、窓枠体に、ケース（開閉装置のケース）を直接取付けることができ、開閉装置の小型化と、操作の容易化を備えるとともに、低価格で提供できる装置、機種としては、次のような文献が挙げられるので、その概要を説明する。
【０００３】
文献（１）は、実開平１−９０９８３号公報に記載の考案である。この考案は、窓の自動開閉を図る構造であり、窓枠体に、駆動部と、窓を開閉する車輪を設けたことを特徴とする。但し、この考案では、開閉装置の小型化と、操作の容易化、或いは低価格は考えられないので、改良の余地がある。
【０００４】
また、文献（２）は、特開平１０−２３１６６２号公報に記載の発明である。この発明は、引戸の開閉を図る構造であり、上枠に、自動開閉装置を取付け、この自動開閉装置に取付けた駆動プーリを介して引戸を開閉する。この発明は、小型化と低価格とを図ることにある。しかし、この発明は、上枠に、自動開閉装置を単純に取付けるものであり、駆動プーリ、モータの取付けを、本体のベースに単純に取付けることから、各種機材の取付けに整然性がなく、また、修理、部品の交換等に苦慮することと、素人の取付けは困難である。
【０００５】
さらに、文献（３）は、特開平６−６６０６２号公報に記載の発明である。この発明は、引戸のフレームに閉止駆動手段、摺動駆動部を設け、コントローラを利用して閉止駆動手段、摺動駆動部の駆動と停止を図る構造である。しかし、この発明は、前記文献（２）と同じ困難な点を抱えている。
【０００６】
【特許文献１】実開平１−９０９８３号公報
【特許文献２】特開平１０−２３１６６２号公報
【特許文献３】特開平６−６６０６２号公報
【発明の概要】
【発明が解決しようとする課題】
【０００７】
上記に鑑み、本発明は、窓の開閉装置の小型化と、操作の容易化を備えるとともに、低価格で提供できる開閉装置とすること、又はケース本体ユニットに駆動部と、窓開閉用のローラとを設けるとともに、ケース蓋ユニットに制御部を構成するコントローラを設けることで、各種機材の取付けを整然性とすること、さらにはこの機材の修理、部品の交換等を容易とすること、また、素人の取付けを担持すること、等を意図する。そして、本発明では、低価格化を図ることで、市場での要望に応えることと、必要とする人に安価に提供し、必要とする目的を確実に達成することを意図する。
【課題を解決するための手段】
【０００８】
請求項１の発明では、前記の如く、窓の開閉装置の小型化と、操作の容易化を備えるとともに、低価格で提供できる装置の提供を図り、また、ケース本体ユニットに駆動部と、窓開閉用のローラとを設けるとともに、ケース蓋ユニットに制御部を構成するコントローラを設けることで、各種機材の取付けを整然性とすること、又はこの機材の修理、部品の交換等を容易とすること、また、素人の取付けを担持すること、等を意図する。そして、請求項１の発明では、前記の如く、低価格化を図ることで、市場での要望に応えることと、必要とする人に安価に提供し、必要とする目的を確実に達成することを意図する。また、請求項１の発明では、この片持ち式に支持された状態で、基台を前進、又は後退し、ローラを、窓ガラス、又は下かまちに適宜の圧力で接触する操作をした後に、止め具を介して、この基台の位置を決定することを意図する。
【０００９】
請求項１は、窓枠体に設けた窓の開閉機構は、前記窓枠体のレールに挾持される二本の脚を備えたケースと、手元スイッチとで構成し、
前記ケースは、前記窓枠体に支持されるケース本体ユニットと、このケース本体ユニットに嵌合されるケース蓋ユニットとで構成し、
このケース本体ユニットには、駆動部と、前記窓に添設するローラとを設け、
前記ケース蓋ユニットには、前記駆動部用のコントローラを設け、た窓の開閉装置において、
前記ケース本体ユニットには、前記二本の脚を有し、この二本の脚の一方を、このケース本体ユニットに設けた調整螺子で、このケース本体ユニットの開放側から、その底面側に向かって移動可能に設ける構成とした窓の開閉装置である。
【００１２】
請求項２の発明では、請求項１の意図を達成するに、最適なケース本体ユニットに設けた二本の脚の構造を提供することを意図する。
【００１３】
請求項２は、請求項１に記載の窓の開閉装置であって、
前記二本の脚の一方は、前記ケース本体ユニットに設けた蟻溝嵌合で移動する移動駒に垂設する構成とした窓の開閉装置である。
【００１４】
請求項３の発明では、請求項１の意図を達成するに、最適なケース蓋ユニットの構造を提供することを意図する。
【００１５】
請求項３は、請求項１に記載の窓の開閉装置であって、
前記ケース蓋ユニットは、前記ケース本体ユニットの開放側に嵌合されることで、このケース蓋ユニットは、このケース本体ユニットの蓋として役立つ構成とした窓の開閉装置である。
【００１６】
請求項４〜６の発明では、請求項１の意図を達成するに、最適なケースの構造を提供することを意図する。
【００１７】
請求項４は、請求項１に記載の窓の開閉装置であって、
前記ケース、及び／又は、この窓の開閉装置の構造の簡略化と、コストの低廉化を可能とするために、このケースを、ケース本体ユニットと、ケース蓋ユニットとにより構成した窓の開閉装置である。
【００１８】
請求項５は、請求項１に記載の窓の開閉装置であって、
前記窓の開閉装置の、前記窓枠体への取付けの簡略化、及び／又は、小型化を可能とするために、このケースを、ケース本体ユニットと、ケース蓋ユニットとにより構成した窓の開閉装置である。
【００１９】
請求項６は、請求項１に記載の窓の開閉装置であって、
前記ケースの構造の簡略化と、コストの低廉化を可能とするために、このケースを、ケース本体ユニットと、ケース蓋ユニットとにより構成した窓の開閉装置である。
【発明の効果】
【００２０】
請求項１の発明は、窓枠体に設けた窓の開閉機構は、窓枠体のレールに挾持される二本の脚を備えたケースと、手元スイッチとで構成し、
ケースは、窓枠体に支持されるケース本体ユニットと、ケース本体ユニットに嵌合されるケース蓋ユニットとで構成し、
ケース本体ユニットには、駆動部と、窓に添設するローラとを設け、
前記ケース蓋ユニットには、前記駆動部用のコントローラを設け、た窓の開閉装置において、
ケース本体ユニットには、二本の脚を有し、二本の脚の一方を、ケース本体ユニットに設けた調整螺子で、ケース本体ユニットの開放側から、底面側に向かって移動可能に設ける構成とした窓の開閉装置である。
【００２１】
従って、この請求項１は、前記の如く、窓の開閉装置の小型化と、操作の容易化を備えるとともに、低価格で提供できる装置の提供が図れ、また、ケース本体ユニットに駆動部と、窓開閉用のローラとを設けるとともに、ケース蓋ユニットに制御部を構成するコントローラを設けることで、各種機材の取付けを整然性できること、又はこの機材の修理、部品の交換等を容易に行えること、また、素人の取付けを担持できること、等の特徴がある。そして、請求項１は、前記の如く、低価格化が図れることで、市場での要望に応えることと、必要とする人に安価に提供し、必要とする目的を確実に達成できること、等の実益がある。また、請求項１は、この片持ち式に支持された状態で、基台を前進、又は後退し、ローラを、窓ガラス、又は下かまちに適宜の圧力で接触する操作をした後に、止め具を介して、この基台の位置を決定できる実益がある。
【００２４】
請求項２の発明は、請求項１に記載の窓の開閉装置であって、
二本の脚の一方は、ケース本体ユニットに設けた蟻溝嵌合で移動する移動駒に垂設する構成とした窓の開閉装置である。
【００２５】
従って、請求項２は、請求項１の意図を達成するに、最適なケース本体ユニットに設けた二本の脚の構造を提供できる特徴がある。
【００２６】
請求項３の発明は、請求項１に記載の窓の開閉装置であって、
前記ケース蓋ユニットは、前記ケース本体ユニットの開放側に嵌合されることで、このケース蓋ユニットは、このケース本体ユニットの蓋として役立つ構成とした窓の開閉装置である。
【００２７】
従って、請求項３は、請求項１の意図を達成するに、最適なケース蓋ユニットの構造を提供できる特徴がある。
【００２８】
請求項４の発明は、請求項１に記載の窓の開閉装置であって、
ケース、及び／又は、窓の開閉装置の構造の簡略化と、コストの低廉化を可能とするために、このケースを、ケース本体ユニットと、ケース蓋ユニットとにより構成した窓の開閉装置である。
【００２９】
請求項５の発明は、請求項１に記載の窓の開閉装置であって、
窓の開閉装置の、窓枠体への取付けの簡略化、及び／又は、小型化を可能とするために、ケースを、ケース本体ユニットと、ケース蓋ユニットとにより構成した窓の開閉装置である。
【００３０】
請求項６の発明は、請求項１に記載の窓の開閉装置であって、
ケースの構造の簡略化と、コストの低廉化を可能とするために、ケースを、ケース本体ユニットと、ケース蓋ユニットとにより構成した窓の開閉装置である。
【００３１】
従って、請求項４〜６は、請求項１の意図を達成するに、最適なケースの構造を提供できる特徴がある。
【図面の簡単な説明】
【００３２】
【図１】開閉装置を窓（サッシ窓）に取付けた状態の縮尺斜視図
【図２】ケースを示した斜視図
【図３−１】ケースの一部を開放した斜視図
【図３−２】ケース本体ユニットの内部を示した斜視図
【図３−３】ケース蓋ユニットの内部を示した斜視図
【図４】ケース内に設けた駆動部、及びコントローラ、並びにこのケースを窓枠体に係止する脚を示した一部欠截の断面図
【図５】図４の平面図
【図６】図４の右側面図
【発明を実施するための形態】
【００３３】
以下、本発明の好ましい、一実施例を、図面を参照して説明する。
【００３４】
図中１はケースであり、このケース１は、窓枠体Ａの下側の下枠Ａ１の角隅部であって、この角隅部のレールＡ２に取付けられる。このケース１は、レールＡ２に取付けられるケース本体ユニット１００と、このケース本体ユニット１００に被嵌固止されるケース蓋ユニット１０１とで構成されが、この一例では、ケース本体ユニット１００の下側に設けた連結用ベース板１０２を利用し、かつケース本体ユニット１００の開放側１００ｂの方形状の周壁に、ケース蓋ユニット１０１の開放側１０１ｂを添設しつつ、図示しない止め具を利用して一体に設けられる。このベース板１０２を利用することで、前述の如く、ケース本体ユニット１００とケース蓋ユニット１０１の一体化と、このケース蓋ユニット１０１の安定した取付け、並びに後述する各種機材と、制御部等の取付けを容易とする。
【００３５】
このケース本体ユニット１００に設けたベース板１０２には、一方の脚２を備えた移動駒３と、この移動駒３の移動（図３−２において、手前側と奥面側に移動する）をガイドする蟻溝嵌合機構を備えた箱体５と、この箱体５の後面側５ａの板部（尚、図示しないが、ベース板１０２より立設した板部もよい）に螺着し、その後面側５ａより延設した調整螺子６と、が設けられている。そして、この箱体５（又はベース板１０２も可能）の下側には、前記脚２に対峙する脚２ａが垂設されている。尚、ケース本体ユニット１００の下側１００ａには、前記脚２、２ａが、ともに、このケース本体ユニット１００より突出するため、及び、この脚２が移動するための開口１００−１が形成されている。この脚２の移動を利用し、この脚２の外側と、他の脚２ａの外側で、レールＡ２を内側より挾持することで、このケース本体ユニット１００を、窓枠体Ａに固定する。そして、このレールＡ２のレール溝の大きさに合わせて、脚２を前後動する（後述する前後動と同じ）。
【００３６】
また、このケース本体ユニット１００には、箱体５に隣接して駆動部７とローラ８とでなる窓開閉手段が設けられている。この駆動部７は、ベース板１０２に設けたガイド部材１０と、このガイド部材１０に移動可能に設けた基台１１と（この基台１１は、ケース本体ユニット１００の開放側１００ｂから、底面側１００ｃに向って前後動する）、この基台１１の上に設けた減速手段１２（減速機構）と、この減速手段１２と連動する出力軸（図示しない）を備えたモータ１３と、前記減速手段１２のローラ軸１２００（出力軸）に設けたローラ８とで構成する。また、このローラ８が、ケース本体ユニット１００の底面側１００ｃより突出するための開口１００−２が、この底面側１００ｃに開設されている。この基台１１がガイド部材１０に沿って移動することで、ローラ８のケース本体ユニット１００の底面側１００ｃよりの突出寸法が、変化する。このローラ８の突出寸法の変化を利用して、レールＡ２と、窓枠体Ａに開閉自在に設けた窓Ｂの窓ガラスＢ１、及び／又は、下かまちＢ２との離間距離の変化に対応できる。図中１５は、基台１１の移動位置を固定する止め具である。この止め具１５は、例えば、基台１１と、カバー１６との間に設ける。このカバー１６は、基台１１を包被するように設けられる。
【００３７】
以上の如く、ローラ８の前後動により、ローラ８と窓ガラスＢ１、又は下かまちＢ２との接触の強弱調整を調整可能とする。また、脚２の前後動の移動により、レールＡ２の幅の大小に対応する。
【００３８】
図中１８は窓Ｂの開閉停止位置を決定するスイッチ（開閉用リミットスイッチ）である。
【００３９】
また、ケース蓋ユニット１０１には、ケーブル２０が通る開口１０１−１が形成されており、内部に制御部を備えたコントローラ２１が収容されている。このコントローラ２１を収容した状態で、前記ケース本体ユニット１００に嵌合固止される。その際に、ケース蓋ユニット１０１は、ベース板１０２をガイドに差込み、かつ図示しない複数の止め具を利用して固定する。図中２２はコントローラ２１のスイッチである。
【００４０】
続いて、開閉装置の取付け方法（取付け、取外し）と、開閉の一例を説明すると、先ず、ケース蓋ユニット１０１を、ケース本体ユニット１００より外し、このケース本体ユニット１００を、窓枠体ＡのレールＡ２に取付ける。このケース本体ユニット１００の脚２、２ａを、このレールＡ２間に挿入し、脚２ａをレールＡ２の一方内側に添接した後、調整螺子６を回し、移動する脚２を、レールＡ２の他方内側に添接する。この脚２、２ａの添接により、脚２、２ａを、レールＡ２間に緊締する（脚２、２ａが、レールＡ２間に組付けられる）。この緊締で、このケース本体ユニット１００が、窓枠体ＡのレールＡ２に片持ち式に支持される（組付けられる）とともに、このレールＡ２の上面に添接支持される。そして、必要に応じて（例えば、ローラ８と）この片持ち式に支持された状態で、基台１１を前進、又は後退し、ローラ８を、窓ガラスＢ１、又は下かまちＢ２に適宜の圧力で接触する操作をした後に、止め具１５を介して、この基台１１の位置を決定する。
【００４１】
その後、このケース本体ユニット１００に、ケース蓋ユニット１０１を取付けることで、窓枠体Ａにケース１が取付けられる。従って、スイッチ２２をオンし、手元スイッチ３０（遠隔操作用スイッチ）を、オンオフすることで、コントローラ２１を制御し、このコントローラ２１からの指示（信号）で、モータ１３の入切りを行う。これにより、ローラ８が正逆転し、窓Ｂの開閉が行われる。また、窓Ｂにはリミットスイッチのドッグ（図示しない）を有する。
【００４２】
以上の如く、ケース１を、ケース本体ユニット１００とケース蓋ユニット１０１に区画し、このケース本体ユニット１００に、駆動部７と、前後動するローラ８と、移動する脚２を配備することで、これらの動きを、自由に調整可能となり、かつ取付け時とか、その他必要時に、何時でも調整できること、又は故障時の対応ができること、等の実用性がある。一方、ケース蓋ユニット１０１にコントローラ２１を配備することで、このケース蓋ユニット１０１を外すことで、これらの調整と、故障時の対応が簡便である。
【００４３】
また、図示しないが、風、雨とか振動等を感知するセンサー（図示しない）と、スイッチ３０等のスイッチ機構とを連動することで、自動的に、窓Ｂの開閉をすることも可能である。
【符号の説明】
【００４４】
１            ケース
１００        ケース本体ユニット
１００ａ      下側
１００ｂ      開放側
１００ｃ      底面側
１００−１    開口
１００−２    開口
１０１        ケース蓋ユニット
１０１ｂ      開放側
１０２        ベース板
２            脚
２ａ          脚
３            移動駒
５            箱体（蟻溝嵌合）
５ａ          後面側
６            調整螺子
７            駆動部
８            ローラ
１０          ガイド部材
１１          基台
１２          減速手段
１２００      ローラ軸
１３          モータ
１５          止め具
１６          カバー
１８          スイッチ
２０          ケーブル
２１          コントローラ
２２          スイッチ
３０          スイッチ
Ａ            窓枠体
Ａ１          下枠
Ａ２          レール
Ｂ            窓
Ｂ１          窓ガラス
Ｂ２          下かまち
【図１】
0005969213.tif 000002
【図２】
0005969213.tif 000003
【図３−１】
0005969213.tif 000004
【図３−２】
0005969213.tif 000005
【図３−３】
0005969213.tif 000006
【図４】
0005969213.tif 000007
【図５】
0005969213.tif 000008
【図６】
0005969213.tif 000009